(57)【要約】本開示はスイッチ装置を提供し、該スイッチ装置は少なくとも、無線信号を受信し、且つ受信した無線信号を給電信号に変換するように構成される受信変換ユニットと、受信変換ユニットに接続され、給電信号に基づいて電気エネルギーを貯蔵するように構成される第１電源ユニットと、第１電源ユニットに接続され、第１電源ユニットの給電によって動作状態に入り、動作状態で制御信号を生成することができるように構成される制御ユニットと、制御ユニットに接続され、制御信号に応じて導通状態又は切断状態に切り替えるように構成される第１スイッチユニットと、を含み、第１スイッチユニットは、被制御装置の給電回路に位置し、導通状態にある場合、第２電源ユニットを利用して被制御装置に給電するように構成される。本開示によれば、照明環境の影響及び被制御装置の電力制限を受けず、無線信号から変換された電気エネルギーに基づいてスイッチ装置に簡単且つ迅速に給電することができる。【選択図】図１
2021535708.tif 000002
【特許請求の範囲】
【請求項１】
スイッチ装置であって、少なくとも、
無線信号を受信し、且つ受信した無線信号を給電信号に変換するように構成される受信変換ユニットと、
前記受信変換ユニットに接続され、前記給電信号に基づいて電気エネルギーを貯蔵するように構成される第１電源ユニットと、
前記第１電源ユニットに接続され、前記第１電源ユニットの給電によって動作状態に入り、前記動作状態で制御信号を生成することができるように構成される制御ユニットと、
前記制御ユニットに接続され、前記制御信号に応じて導通状態又は切断状態に切り替えるように構成される第１スイッチユニットと、を含み、
前記第１スイッチユニットは、被制御装置の給電回路に位置し、前記導通状態にある場合、第２電源ユニットを利用して前記被制御装置に給電するように構成されるスイッチ装置。
【請求項２】
前記受信変換ユニットに無線信号を送信するように構成される送信ユニットをさらに含む請求項１に記載のスイッチ装置。
【請求項３】
前記送信ユニットが赤外線送信ユニットである場合、前記受信変換ユニットは、赤外線信号を受信するように構成される赤外線受信変換ユニットを含み、
前記送信ユニットが電磁信号送信ユニットである場合、前記受信変換ユニットは、電磁信号を受信するように構成される電磁信号受信変換ユニットを含む請求項２に記載のスイッチ装置。
【請求項４】
前記第１電源ユニットは、
前記受信変換ユニットに接続され、前記給電信号に対して昇圧を行うように構成される昇圧サブユニットと、
前記昇圧サブユニットに接続され、昇圧後の前記給電信号に基づいて電気エネルギーを貯蔵し、且つ前記電気エネルギーに基づいて前記制御ユニットに給電するように構成される蓄電サブユニットと、を含む請求項１−３のいずれか一項に記載のスイッチ装置。
【請求項５】
前記給電回路に前記第１スイッチユニットと直列に配置され、且つそれぞれ前記第１スイッチユニット及び前記制御ユニットに接続される第２スイッチユニットをさらに含み、
前記第２スイッチユニットは、前記第２スイッチユニットに作用するユーザー操作に応じて、開閉状態を切り替えるように構成され、
前記制御ユニットは、前記第２スイッチユニットの開閉状態とユーザー命令を含む無線制御信号とに応じて、前記第１スイッチユニットに前記制御信号を出力するように構成される請求項１−３のいずれか一項に記載のスイッチ装置。
【請求項６】
前記スイッチ装置は少なくとも２つの給電回路を含み、前記各給電回路は前記第１スイッチユニット及び前記第２スイッチユニットを含み、前記各給電回路は並列に設置される請求項５に記載のスイッチ装置。
【請求項７】
前記第２スイッチユニットは、
前記第１スイッチユニットの可動端子に接続される第１可動サブ端子と、
前記第１電源ユニットに接続される第２可動サブ端子と、を含み、
前記第１可動サブ端子と前記第２可動サブ端子は同じ開閉状態を有する請求項５に記載のスイッチ装置。
【請求項８】
前記スイッチ装置は、
前記第２可動サブ端子の対応する固定端子に接続され、前記第２可動サブ端子の開閉状態を検出するように構成される検出ユニットをさらに含み、
前記制御ユニットは、前記検出ユニットに接続され、前記第２可動サブ端子の開閉状態に応じて、前記第１可動サブ端子の開閉状態を確定するように構成される請求項７に記載のスイッチ装置。
【請求項９】
前記第１電源ユニットはさらに、前記検出ユニットに給電するように構成される請求項８に記載のスイッチ装置。
【請求項１０】
第２スイッチユニットに対応するパネルボタンが設置されているスイッチパネルをさらに含む請求項１に記載のスイッチ装置。
【発明の詳細な説明】
【技術分野】
【０００１】
（関連出願の相互参照）
本願は出願番号が２０１９１０６９９４７８．０、出願日が２０１９年７月３１日の中国特許出願に基づいて提出され、且つ該中国特許出願の優先権を主張し、ここで該中国特許出願の全内容が引用により参考として本願に組み込まれている。
【０００２】
本開示は電子機器の技術分野に関し、特にスイッチ装置に関する。
【背景技術】
【０００３】
スマートスイッチは無線制御機能を有するスイッチである。スマートスイッチを従来のランプと組み合わせることによって、従来のランプをスマート化することができる。現在、家庭内の配線は通常、単一活線で配線され、従って、スマートスイッチに給電するように単一活線に基づいて受電する必要がある。
【０００４】
現在幅広く使用されている単一活線受電方式とは、単一活線受電モジュールを活線に直列接続することであり、受電回路に存在する微弱な電流が制御対象である被制御装置を流れるため、低電力のランプが点滅することに引き起こされる。しかも、充電でも利用する場合、従来の受電モジュールの両端の強電力と弱電力を完全に分離することができなく、充電リスクが高いという問題がある。乾電池を利用してスマートスイッチに給電する場合、電池を頻繁に交換するという問題にある。ソーラーパネル発電を利用してスマートスイッチに給電する場合、スイッチ装置は通常室内に取り付けられるため、室内の照明環境の影響を受けやすい。
【発明の概要】
【発明が解決しようとする課題】
【０００５】
本開示はスイッチ装置を提供する。
【課題を解決するための手段】
【０００６】
本開示の実施例によれば、スイッチ装置を提供し、スイッチ装置は少なくとも、
無線信号を受信し、且つ受信した無線信号を給電信号に変換するように構成される受信変換ユニットと、
前記受信変換ユニットに接続され、前記給電信号に基づいて電気エネルギーを貯蔵するように構成される第１電源ユニットと、
前記第１電源ユニットに接続され、前記第１電源ユニットの給電によって動作状態に入り、前記動作状態で制御信号を生成することができるように構成される制御ユニットと、
前記制御ユニットに接続され、前記制御信号に応じて導通状態又は切断状態に切り替えるように構成される第１スイッチユニットと、を含み、前記第１スイッチユニットは、被制御装置の給電回路に位置し、前記導通状態にある場合、第２電源ユニットを利用して前記被制御装置に給電するように構成される。
【０００７】
一実施例では、前記スイッチ装置は、前記受信変換ユニットに無線信号を送信するように構成される送信ユニットをさらに含む。
【０００８】
一実施例では、前記送信ユニットが赤外線送信ユニットである場合、前記受信変換ユニットは、赤外線信号を受信するように構成される赤外線受信変換ユニットを含み、
前記送信ユニットが電磁信号送信ユニットである場合、前記受信変換ユニットは、電磁信号を受信するように構成される電磁信号受信変換ユニットを含む。
【０００９】
一実施例では、前記第１電源ユニットは、
前記受信変換ユニットに接続され、給電信号に対して昇圧を行うように構成される昇圧サブユニットと、
前記昇圧サブユニットに接続され、昇圧後の給電信号に基づいて電気エネルギーを貯蔵し、且つ前記電気エネルギーに基づいて前記制御ユニットに給電するように構成される蓄電サブユニットと、を含む。
【００１０】
一実施例では、前記スイッチ装置は、
前記給電回路に前記第１スイッチユニットと直列に配置され、且つそれぞれ前記第１スイッチユニット及び前記制御ユニットに接続される第２スイッチユニットをさらに含み、
前記第２スイッチユニットは、前記第２スイッチユニットに作用するユーザー操作に応じて、開閉状態を切り替えるように構成され、
前記制御ユニットは、前記第２スイッチユニットの開閉状態とユーザー命令を含む無線制御信号とに応じて、前記第１スイッチユニットに前記制御信号を出力するように構成される。
【００１１】
一実施例では、前記スイッチ装置は少なくとも２つの給電回路を含み、各給電回路は前記第１スイッチユニット及び前記第２スイッチユニットを含み、前記各給電回路は並列に設置される。
【００１２】
一実施例では、前記第２スイッチユニットは、
前記第１スイッチユニットの可動端子に接続される第１可動サブ端子と、
前記第１電源ユニットに接続される第２可動サブ端子と、を含み、
前記第１可動サブ端子と前記第２可動サブ端子は同じ開閉状態を有する。
【００１３】
一実施例では、前記スイッチ装置は、
前記第２可動サブ端子の対応する固定端子に接続され、第２可動サブ端子の開閉状態を検出するように構成される検出ユニットをさらに含み、
前記制御ユニットは、前記検出ユニットに接続され、第２可動サブ端子の開閉状態に応じて、第１可動サブ端子の開閉状態を確定するように構成される。
【００１４】
一実施例では、前記第１電源ユニットはさらに、検出ユニットに給電するように構成される。
【００１５】
一実施例では、前記スイッチ装置は、スイッチパネルをさらに含み、
前記スイッチパネルには、前記第２スイッチユニットに対応するパネルボタンが設置される。
【００１６】
一実施例では、前記蓄電サブユニットは充電式電池である。
【発明の効果】
【００１７】
本開示の実施例に係る技術案は以下の有益な効果を含む。
【００１８】
本開示の実施例は無線信号から変換された電気信号に基づいて電気エネルギーを貯蔵し、且つ貯蔵された電気エネルギーを利用して制御ユニットに給電することによって、第１、単一活線を利用してスイッチ装置に給電する必要がなく、給電線（例えば、単一活線）による給電に起因する低電力スイッチ装置の微弱な電流の問題を解決し、それにより被制御装置の電力制限を解除し、汎用性を有する。第２、スイッチ装置と被制御装置の給電源が異なることによって、弱電力と強電力との安全的分離を実現する。第３、無線信号送信機と組み合わせて使用することによって、スイッチ装置の給電が照明環境の影響を受けず、更にスイッチ装置に簡単且つ迅速に給電することができる。
【００１９】
なお、以上の概略説明及び以下の詳細説明は単に例示的かつ説明的なものであり、本開示を限定しない。
【図面の簡単な説明】
【００２０】
【図１】図１は一例示的な実施例に係るスイッチ装置の構造模式図１である。
【図２】図２は一例示的な実施例に係るスイッチ装置の構造模式図２である。
【図３】図３は一例示的な実施例に係るスイッチ装置の構造模式図３である。
【図４】図４は一例示的な実施例に係るスイッチ装置の構造模式図４である。
【図５】図５は一例示的な実施例に係るスイッチ装置の構造模式図５である。
【図６】図６は一例示的な実施例に係るスイッチ装置の構造模式図６である。
【図７】図７は一例示的な実施例に係るスイッチ装置の構造模式図７である。
【図７ａ】図７ａは一例示的な実施例に係る関連技術に提供されるスイッチ装置の構造模式図である。
【図７ｂ】図７ｂは一例示的な実施例に係る本実施例に提案されたスイッチ装置の技術案を採用した後の構造模式図である。
【図８ａ】図８ａは一例示的な実施例に係るスイッチ装置の構造模式図８である。
【図８ｂ】図８ｂは一例示的な実施例に係るスイッチ装置の構造模式図９である。
【図９】図９は一例示的な実施例に係るスイッチ装置の構造模式図１０である。
【図１０】図１０は一例示的な実施例に係るスイッチ装置の構造模式図１１である。
【発明を実施するための形態】
【００２１】
ここでの図面は本明細書の一部として明細書に組み込まれ、本発明に該当する実施例を示し、明細書とともに本発明の原理を説明する。
【００２２】
ここで、例示的な実施例を詳細に説明し、その例は図面に示される。後述する説明が図面に言及する際に、特に断らない限り、異なる図面中の同一符号は同一又は類似の要素を示す。以下の例示的な実施例で記載される実施形態は本発明に該当するすべての実施形態ではない。その反面、それらは単に、添付特許請求の範囲に詳細に説明される本発明のいくつかの態様に該当する装置及び方法の例である。
【００２３】
図１は一例示的な実施例に係るスイッチ装置の構造模式図１である。図１に示すように、スイッチ装置１０００は少なくとも、
無線信号を受信し、且つ受信した無線信号を給電信号に変換するように構成される受信変換ユニット１００１と、
受信変換ユニットに接続され、給電信号に基づいて電気エネルギーを貯蔵するように構成される第１電源ユニット１００２と、
第１電源ユニットに接続され、第１電源ユニットの給電によって動作状態に入り、動作状態で制御信号を生成することができるように構成される制御ユニット１００３と、
制御ユニットに接続され、制御信号に応じて導通状態又は切断状態に切り替えるように構成される第１スイッチユニット１００４と、を含み、第１スイッチユニットは、被制御装置の給電回路に位置し、導通状態にある場合、第２電源ユニットを利用して被制御装置に給電するように構成される。
【００２４】
なお、該スイッチ装置１０００はスマートスイッチ装置であってもよく、制御信号に基づいて該スイッチ装置の導通状態及び切断状態を制御することができる。制御ユニット１００３は通信機能を集積し、制御端末から送信される無線制御信号を受信し、且つ予め設定したルールに従って制御端末にスイッチの現在状態をアップロードするようにしてもよく、予め設定したルールは、予め設定した周期でアップロードすること、又はユーザーからの照会命令によってトリガーされるとアップロードすることを含み、ここでは制限しない。
【００２５】
本開示の実施例では、受信変換ユニット１００１は、無線信号を給電信号に変換できる。これらの無線信号自体はエネルギーを有し、無線信号のエネルギーを電気エネルギーに変換し、それにより給電信号を得る。
【００２６】
なお、該無線信号の波長は可視光の波長と異なり、例えば、該無線信号は紫外線信号、赤外線信号及び電磁信号を含むが、それらに限定されない。
【００２７】
本開示の実施例では、第１電源ユニット１００２は給電信号に基づいて電気エネルギーを貯蔵し、且つ制御ユニット１００３に給電して制御ユニットを動作状態にするように構成される。
【００２８】
例えば、第１電源ユニット１００２は充電可能ユニット及びコンデンサを含むが、それらに限定されない。
【００２９】
本開示の実施例では、制御ユニット１００３によって生成された制御信号が第１スイッチユニット１００４に作用し、それにより第１スイッチユニット１００４が制御信号に応じてその開閉状態を切り替えることができる。ここで、該開閉状態は導通状態及び切断状態を含む。
【００３０】
例えば、第１スイッチユニット１００４はリレーを含むが、それに限定されない。
【００３１】
本開示の実施例では、該第１スイッチユニット１００４は被制御装置の給電回路上に位置し、第１スイッチユニット１００４の導通状態では、給電回路を導通し、それにより第２電源ユニットが導通された給電回路によって被制御装置に給電でき、第１スイッチユニットの切断状態では、給電回路を切断し、それにより第２電源ユニットが切断された給電回路によって被制御装置に給電できなくなる。なお、第２電源ユニットは被制御装置に給電するように構成される。
【００３２】
例えば、第２電源ユニットは商用電力を含み、被制御装置は家電製品を含み、例えば、家電製品はランプ及びエアコンを含むが、それらに限定されない。
【００３３】
被制御装置がランプである場合、第１スイッチユニット１００４が導通状態にあり、且つ第２電源ユニットが被制御装置に給電する場合、ランプが動作状態にあり、すなわちランプが点灯する。第１スイッチユニット１００４が切断状態にあり、且つ第２電源ユニットが給電を切断する場合、ランプが非動作状態にあり、すなわちランプが消灯する。
【００３４】
本開示の実施例は無線信号から変換された電気信号に基づいて電気エネルギーを貯蔵し、且つ貯蔵された電気エネルギーを利用して制御ユニットに給電することによって、第１、単一活線を利用してスイッチ装置に給電する必要がなく、給電線（例えば、単一活線）による給電に起因する低電力スイッチ装置の微弱な電流の問題を解決し、それにより被制御装置の電力制限を解除し、汎用性を有する。第２、スイッチ装置と被制御装置の給電源が異なることによって、弱電力と強電力との安全的分離を実現する。第３、無線信号送信機と組み合わせて使用することによって、スイッチ装置の給電が照明環境の影響を受けず、更にスイッチ装置に簡単且つ迅速に給電することができる。さらに、スイッチ装置は制御ユニットによって生成された制御信号に基づいて開閉状態を切り替えることで、スイッチ装置のスマート化を実現し、ユーザーエクスペリエンスを向上させることができる。
【００３５】
一実施例では、スイッチ装置は、受信変換ユニットに無線信号を送信するように構成される送信ユニットをさらに含む。
【００３６】
本開示の実施例では、送信ユニットは単独に設置され又は被制御装置に内蔵される。且つ、送信ユニットが外部に無線信号を送信する周波数は実際のニーズに応じて設定できる。例えば、送信ユニットは定時の又は常開の方式で外部に無線信号を送信するように構成されてもよい。
【００３７】
例えば、無線信号が紫外線信号である場合、対応する受信変換ユニット１００１は紫外線受信ユニット、対応する送信ユニットは紫外線送信ユニットであってもよく、無線信号が赤外線信号である場合、対応する受信変換ユニット１００１は赤外線受信ユニット、対応する送信ユニットは赤外線送信ユニットであってもよく、無線信号が電磁信号である場合、対応する受信変換ユニット１００１は電磁信号受信ユニット、対応する送信ユニットは電磁信号送信ユニットであってもよい。
【００３８】
一実施例では、図２及び図３に示すように、送信ユニットが赤外線送信ユニットである場合、受信変換ユニット１００１は、赤外線信号を受信するように構成される赤外線受信変換ユニット１００１ａを含み、
送信ユニットが電磁信号送信ユニットである場合、受信変換ユニット１００１は、電磁信号を受信するように構成される電磁信号受信変換ユニット１００１ｂを含む。
【００３９】
本開示の実施例では、受信変換ユニット１００１は赤外線受信変換ユニット１００１ａ及び電磁信号受信変換ユニット１００１ｂを含む。
【００４０】
受信変換ユニット１００１が赤外線受信変換ユニット１００１ａである場合、対応する送信ユニットは赤外線送信ユニットを含み、受信変換ユニット１００１が電磁信号受信変換ユニット１００１ｂである場合、対応する送信ユニットは電磁信号送信ユニットを含む。
【００４１】
なお、該赤外線送信ユニットは赤外線信号を送信するように構成される。該電磁信号送信ユニットは電磁信号を送信するように構成される。
【００４２】
例えば、赤外線送信ユニットは赤外線送信機及び半導体レーザーを含むが、それらに限定されず、電磁信号送信ユニットは通電コイルを含むが、それに限定されない。
【００４３】
一実施例では、図４に示すように、第１電源ユニット１００２は、
受信変換ユニットに接続され、給電信号に対して昇圧を行うように構成される昇圧サブユニット１００２ａと、
昇圧サブユニットに接続され、昇圧後の給電信号に基づいて電気エネルギーを貯蔵し、且つ電気エネルギーに基づいて制御ユニットに給電するように構成される蓄電サブユニット１００２ｂと、を含む。
【００４４】
本開示の実施例では、昇圧サブユニット１００２ａは、昇圧後の給電信号によって蓄電サブユニットに給電するように構成される。
【００４５】
例えば、昇圧サブユニット１００２ａはブートストラップダイオード及びブートストラップコンデンサを含むが、それらに限定されない。
【００４６】
本開示の実施例では、蓄電サブユニット１００２ｂは昇圧後の給電信号に基づいて電気エネルギーを貯蔵できる。
【００４７】
なお、蓄電サブユニット１００２ｂを電源とし、スイッチ装置中のほかの電源ユニットに給電する。
【００４８】
例えば、蓄電サブユニット１００２ｂは充電式電池及びコンデンサを含むが、それらに限定されず、ほかの電源ユニットは第１スイッチユニット及び制御ユニットを含むが、それらに限定されない。
【００４９】
図５に示すように、赤外線送信ユニットは赤外線信号を送信し、赤外線受信変換ユニット１００１ａは該赤外線信号を受信し、赤外線信号を給電信号に変換し、且つ昇圧サブユニット１００２ａに出力し、昇圧サブユニット１００２ａは給電信号に対して昇圧を行い、且つ貯蔵サブユニット１００２ｂに出力するように構成され、貯蔵サブユニット１００２ｂは昇圧後の給電信号に基づいて電気エネルギーを貯蔵し、且つ前記電気エネルギーに基づいて制御ユニット１００３及び第１スイッチユニット１００４に給電する。
【００５０】
図６に示すように、磁気発生ユニットは電磁信号を送信し、電磁信号受信変換ユニット１００１ｂは該電磁信号を受信し、電磁信号を給電信号に変換して昇圧サブユニット１００２ａに出力し、昇圧サブユニット１００２ａは給電信号に対して昇圧を行って貯蔵サブユニット１００２ｂに出力し、貯蔵サブユニット１００２ｂは昇圧後の給電信号に基づいて電気エネルギーを貯蔵し、且つ前記電気エネルギーに基づいて制御ユニット１００３及び第１スイッチユニット１００４に給電する。
【００５１】
ここで、第１スイッチユニット１００４は被制御装置の回路に位置し、具体的には、第１スイッチユニット１００４の両端がそれぞれ２２０Ｖ活線イン、２２０Ｖ活線アウトである。
【００５２】
一実施例では、図７に示すように、スイッチ装置１０００は、
給電回路に第１スイッチユニット１００４と直列に配置され、それぞれ第１スイッチユニット１００４及び制御ユニット１００３に接続される第２スイッチユニット１００５をさらに含み、
第２スイッチユニット１００５は、第２スイッチユニット１００５に作用するユーザー操作に応じて、開閉状態を切り替えるように構成され、
制御ユニット１００３は、第２スイッチユニット１００５の開閉状態及びユーザー命令を含む無線制御信号に応じて、第１スイッチユニット１００４に制御信号を出力するように構成される。
【００５３】
本開示の実施例では、給電回路が第１スイッチユニット１００４と第２スイッチユニット１００５を組み合わせて導通する回路である場合、第２スイッチユニット１００５と第１スイッチユニット１００４が給電回路に直列に配置され、第２スイッチユニット１００５に作用するユーザー操作によって、該給電回路中の第２電源ユニットの給電状態を変更する。つまり、ユーザーは直接第２スイッチユニット１００５に作用して手動制御を実現するだけでなく、制御ユニットによって生成される制御信号に基づいて第１スイッチユニット１００４に作用してインテリジェント制御を実現することができる。
【００５４】
なお、第２スイッチユニット１００５の開閉状態が導通状態にある場合、給電回路中の第２電源ユニットが被制御装置に給電し、第２スイッチユニット１００５の開閉状態が切断状態にある場合、給電回路中の第２電源ユニットが被制御装置への給電を切断する。
【００５５】
本開示の実施例に係る一実施形態では、第２スイッチユニット１００５は単極単投スイッチを含むが、それらに限定されず、関連技術の単一活線型無線制御スイッチはいずれも活線に直列接続され、活線差動電流を収集することによって無線制御スイッチに給電する。
【００５６】
図７ａは関連技術に係るスイッチ装置の構造模式図であり、該スイッチ装置は制御ユニット１００３を含み、制御ユニット１００３は無線通信機能を有するマイクロ制御ユニットであり得る。該制御ユニット１００３は給電用のピンＶＣＣ、ピンＧＮＤ、及び入力ピンＳ１、出力ピンＳ２、出力ピンＳ３を含む。
【００５７】
制御ユニット１００３は入力ピンＳ１によって第２スイッチユニット１００５の固定サブ端子Ｂ１に接続され、第２スイッチユニット１００５は固定サブ端子Ａ１をさらに含み、固定サブ端子Ａ１が電源ＶＤＤに接続され、固定サブ端子Ａ１と固定サブ端子とＢ１の間に、接続又は切断用の可動サブ端子が設置される。可動サブ端子が固定サブ端子Ａ１と固定サブ端子Ｂ１を導通すると、電源の高レベルがピンＳ１によって制御ユニット１００３に送信される。
【００５８】
制御ユニット１００３の出力ピンＳ２及び出力ピンＳ３が第１スイッチユニット１００４の入力ピンに接続され、第１スイッチユニット１００４の固定サブ端子Ａ２が第１接点Ｌに接続され、固定サブ端子Ｂ２が第２接点Ｌ１に接続され、第１接点Ｌが活線に接続され、第２接点Ｌ１が被制御装置に接続される。
【００５９】
第１接点Ｌと第２接点Ｌ１との間に受電回路が直列に設置され、受電回路の出力端子がピンＶＣＣ、ピンＧＮＤに接続される。該受電回路は制御ユニット１００３に給電するように構成される。
【００６０】
無線制御モードでは、制御ユニット１００３は第１スイッチユニット１００４中の可動サブ端子が固定サブ端子Ａ２と固定サブ端子Ｂ２を接続するように制御する場合、被制御装置が動作状態にあり、制御ユニット１００３は第１スイッチユニット１００４中の可動サブ端子が固定サブ端子Ａ２と固定サブ端子Ｂ２を切断するように制御する場合、被制御装置が動作しない。
【００６１】
手動制御モードでは、第２スイッチユニット１００５の固定サブ端子Ａ１と固定サブ端子Ｂ１が導通される場合、制御ユニット１００３のピンＳ１によって高レベル信号が検出され、制御ユニット１００３は出力ピンＳ２及び出力ピンＳ３によって第１スイッチユニット１００４の可動サブ端子が固定サブ端子Ａ２と固定サブ端子Ｂ２を導通するように制御し、それにより被制御装置が通電して動作するように制御する。第２スイッチユニット１００５の固定サブ端子Ａ１と固定サブ端子Ｂ１が切断される場合、制御ユニット１００３のピンＳ１によって高レベル信号が低レベル状態になることが検出され、制御ユニット１００３は出力ピンＳ２及び出力ピンＳ３によって第１スイッチユニット１００４の可動サブ端子が固定サブ端子Ａ２と固定サブ端子Ｂ２を切断するように制御し、それにより被制御装置が停電して動作を停止するように制御する。
【００６２】
図７ａ中の第１スイッチユニット１００４は２つの接点を導通する必要があり、２つの接点は活線と直列接続するためのアクセス端子であり、２つの接点は第１接点Ｌ及び第２接点Ｌ１を含み、従って、受電回路によって制御ユニット１００３に給電することは、回路中に微弱な電流が存在することにつながる。被制御装置がランプであることを例に、消灯状態では回路中の中性線・活線に微弱な電流があるため、ランプの点滅現象を招く。ある型番の無線制御スイッチを例に、直列受電原理のため、ランプの最低電力に対する要件があり、普通のランプの電力は３Ｗよりも大きい必要があり、無線制御スイッチ中の第１スイッチユニット１００４の電力が高過ぎてはならないため、総電力を１５００Ｗ未満にする必要がある。
【００６３】
図７ｂは図７ａに示されるスイッチ装置が本開示の実施例に係るスイッチ装置の技術案を採用した後の構造模式図であり、図７ｂに示すように、制御ユニット１００３が第１電源ユニット１００２に接続され、第１電源ユニット１００２が受信変換ユニット１００１に接続される。送信ユニットは受信変換ユニット１００１に無線信号を送信し、受信変換ユニット１００１は該無線信号を受信し、且つ該無線信号を給電信号に変換し、第１電源ユニット１００２は該給電信号に基づいて電気エネルギーを貯蔵し、且つ制御ユニット１００３に給電する。
【００６４】
本開示の実施例において、無線制御モードでは、制御ユニット１００３は受信した無線制御信号に応じて、第１スイッチユニット１００４を導通状態又は切断状態に制御する。第１スイッチユニット１００４が導通状態にある場合、被制御装置が動作状態にあり、第１スイッチユニット１００４が切断状態にある場合、被制御装置が非動作状態にある。
【００６５】
手動制御モードでは、制御ユニット１００３はピンＳ１によって第２スイッチユニット１００５の開閉状態を検出し、且つ第２スイッチユニット１００５の開閉状態に基づいて、制御ユニット１００３は出力ピンＳ２及び出力ピンＳ３によって第１スイッチユニット１００４の開閉状態を制御する。第２スイッチユニット１００５の固定サブ端子Ａ１と固定サブ端子Ｂ１が導通される場合、制御ユニット１００３は出力ピンＳ２及び出力ピンＳ３によって、第１スイッチユニット１００４の可動サブ端子が固定サブ端子Ａ２と固定サブ端子Ｂ２を導通するように制御し、それにより被制御装置が通電して動作するように制御する。第２スイッチユニット１００５の固定サブ端子Ａ１と固定サブ端子Ｂ１が切断される場合、制御ユニット１００３は出力ピンＳ２及び出力ピンＳ３によって、第１スイッチユニット１００４の可動サブ端子が固定サブ端子Ａ２と固定サブ端子Ｂ２を切断するように制御し、それにより被制御装置が停電して動作を停止するように制御する。
【００６６】
以上からわかるように、本開示の実施例は無線信号から変換された電気信号に基づいて電気エネルギーを貯蔵し、且つ貯蔵された電気エネルギーを利用して制御ユニットに給電することによって、第１、単一活線を利用してスイッチ装置に給電する必要がなく、給電線（例えば、単一活線）による給電に起因する低電力スイッチ装置の微弱な電流の問題を解決し、それにより被制御装置の電力制限を解除し、汎用性を有する。第２、スイッチ装置と被制御装置の給電源が異なることによって、弱電力と強電力との安全的分離を実現する。第３、送信ユニットによって無線信号を送信することで、スイッチ装置の給電が照明環境の影響を受けず、更にスイッチ装置に簡単且つ迅速に給電することができる。
【００６７】
本開示の実施例に係る別の実施形態では、該第２スイッチユニット１００５は二極双投スイッチを含むが、それに限定されない。図８ａに示すように、第２スイッチユニット１００５は、
第１スイッチユニット１００４の可動端子Ｒに接続される第１可動サブ端子ｂ１と、
第１電源ユニット１００２に接続される第２可動サブ端子ｂ２と、を含み、
第１可動サブ端子ｂ１と第２可動サブ端子ｂ２は同じ開閉状態を有する。
【００６８】
一実施例では、図８ａに示すように、第２スイッチユニット１００５は、
第１可動サブ端子ｂ１と嵌合し、第１接点Ｌに接続される第１固定サブ端子ａ１と、
第１可動サブ端子ｂ１と嵌合し、第２接点Ｌ１に接続される第２固定サブ端子ａ２と、
第２可動サブ端子ｂ２と嵌合し、制御ユニット１００３に接続される第３固定サブ端子ｃ１と、
第２可動サブ端子ｂ２と嵌合し、制御ユニット１００３に接続される第４固定サブ端子ｃ２と、をさらに含む。
【００６９】
なお、第１可動サブ端子ｂ１と第２可動サブ端子ｂ２が同じ開閉状態を有することについて、第１可動サブ端子ｂ１が第２固定サブ端子ａ２に接続される場合、第２可動サブ端子ｂ２が第４固定サブ端子ｃ２に接続され、第１可動サブ端子ｂ１が第１固定サブ端子ａ１に接続される場合、第２可動サブ端子ｂ２が第３固定サブ端子ｃ１に接続される。
【００７０】
一実施例では、図８ａに示すように、第１スイッチユニット１００４は可動端子Ｒ、第５固定サブ端子ａ及び第６固定サブ端子ｂを含み、且つ第５固定サブ端子ａ及び第６固定サブ端子ｂがそれぞれ可動端子Ｒと嵌合し、第５固定サブ端子ａが第２接点Ｌ１に接続され、第６固定サブ端子ｂが第１接点Ｌに接続される。
【００７１】
一実施例では、図８ａに示すように、制御ユニット１００３は、第１接点Ｌと第２接点Ｌ１を導通制御することが無線制御信号によって示され、且つ第２可動サブ端子ｂ２が第３固定サブ端子ｃ１に接続される場合、第１制御信号を生成するように構成され、該第１制御信号は第１スイッチユニット１００４の可動端子Ｒを第５固定サブ端子ａに接続するように制御することに用いられ、
第１接点Ｌと第２接点Ｌ１を切断制御することが無線制御信号によって示され、且つ第２可動サブ端子ｂ２が第３固定サブ端子ｃ１に接続される場合、第２制御信号を生成し、該第２制御信号は第１スイッチユニット１００４の可動端子Ｒを第６固定サブ端子ｂに接続するように制御することに用いられ、
第１接点Ｌと第２接点Ｌ１を導通制御することが無線制御信号によって示され、且つ第２可動サブ端子ｂ２が第４固定サブ端子ｃ２に接続される場合、第３制御信号を生成し、該第３制御信号は第１スイッチユニット１００４の可動端子Ｒを第６固定サブ端子ｂに接続するように制御することに用いられ、
第１接点Ｌと第２接点Ｌ１を切断制御することが無線制御信号によって示され、且つ第２可動サブ端子ｂ２が第４固定サブ端子ｃ２に接続される場合、第４制御信号を生成し、該第４制御信号は第１スイッチユニット１００４の可動端子Ｒを第５固定サブ端子ａに接続するように制御することに用いられる。
【００７２】
なお、第２スイッチユニット１００５はスイッチ装置の導通状態及び切断状態の手動制御に用いられ、第１スイッチユニット１００４は第２スイッチユニット１００５の開閉状態及び無線制御信号に応じてスイッチ装置の導通状態及び切断状態を制御することができる。図８ａは単なる例であり、本開示では、第１スイッチユニット１００４と第２スイッチユニット１００５との接続関係及び制御関係を限定しない。
【００７３】
被制御装置がランプであり、該ランプの点灯・消灯を制御することを例に、本実施例におけるスイッチ装置は２種の動作モードを含み、それぞれ第１スイッチユニット１００４によって制御を実行する無線制御モード、及び第２スイッチユニット１００５によって制御を実行する手動制御モードである。
【００７４】
無線制御モードでは、制御ユニット１００３は携帯電話又はリモコン等の装置からの無線制御信号を受信し、該無線制御信号は点灯であってもよく消灯であってもよい。無線制御信号が点灯である場合、制御ユニット１００３はまず第３固定サブ端子ｃ１と第４固定サブ端子ｃ２での信号に応じて、第２スイッチユニット１００５（例えば、二極双投スイッチ）の現在の開閉状態を検出し、第２可動サブ端子ｂ２が第３固定サブ端子ｃ１に接続される場合、制御ユニット１００３は第１スイッチユニットの可動端子Ｒを第５固定サブ端子ａと接続するように制御し、このとき、２つの接点ＬとＬ１との間の回路が導通し、ランプが点灯し、第２可動サブ端子ｂ２が第４固定サブ端子ｃ２に接続される場合、制御ユニット１００３は第１スイッチユニットの可動端子Ｒを第６固定サブ端子ｂと接続するように制御し、このとき、２つの接点ＬとＬ１の間の回路が導通し、ランプが点灯する。
【００７５】
無線制御モードでは、無線制御信号が消灯である場合、制御ユニット１００３はまず第２スイッチユニット１００５（例えば、二極双投スイッチ）の現在の開閉状態を検出し、第２可動サブ端子ｂ２が第３固定サブ端子ｃ１に接続される場合、制御ユニット１００３は第１スイッチユニットの可動端子Ｒを第６固定サブ端子ｂと接続するように制御し、このとき、２つの接点ＬとＬ１の間の回路が切断し、ランプが衝突し、第２可動サブ端子ｂ２が第４固定サブ端子ｃ２に接続される場合、制御ユニット１００３は第１スイッチユニットの可動端子Ｒを第５固定サブ端子ａと接続するように制御し、このとき、２つの接点ＬとＬ１の間の回路が切断し、ランプが消灯する。
【００７６】
手動制御モードでは、可動端子Ｒが固定端子ａに接続される場合、第２スイッチユニット１００５を手動で制御し、第１可動サブ端子ｂ１を第１固定サブ端子ａ１と導通して点灯状態にし、第１可動サブ端子ｂ１を第２固定サブ端子ａ２と導通して消灯状態にする。
【００７７】
手動制御モードでは、可動端子Ｒが固定端子ｂに接続される場合、第２スイッチユニット１００５を手動で制御し、第１可動サブ端子ｂ１を第１固定サブ端子ａ２と導通して点灯状態にし、第１可動サブ端子ｂ１を第２固定サブ端子ａ１と導通して消灯状態にする。
【００７８】
なお、図８ａは単なる例であり、第１スイッチユニット１００４、第２スイッチユニット１００５の数及び接続方式を制限しない。
【００７９】
一実施例では、図８ｂに示すように、スイッチ装置は少なくとも２つの給電回路を含み、各給電回路は第１スイッチユニット１００４及び第２スイッチユニット１００５を含み、各給電回路は並列に設置される。
【００８０】
以下、２つの給電回路を例に、本開示の実施例に係るスイッチ装置を説明する。図８ｂに示すように、第１給電回路は第１接点Ｌ及び第２接点Ｌ１から構成される給電回路、第２給電回路は第１接点Ｌ及び第３接点Ｌ２から構成される給電回路である。
【００８１】
第１給電回路は第１スイッチユニット１００４ａ及び第２スイッチユニット１００５ａを含む。第１スイッチユニット１００４ａの固定サブ端子ａ及びｂがそれぞれ第１接点Ｌ及び第２接点Ｌ１に接続され、第１スイッチユニット１００４ａの可動端子Ｒ１が第２スイッチユニット１００５ａの可動サブ端子ｂ１に接続され、第２スイッチユニット１００５ａの２つの固定サブ端子ａ１及びａ２がそれぞれ第１接点Ｌ及び第２接点Ｌ１に接続され、第２スイッチユニット１００５ａの２つの固定サブ端子ｃ１及びｃ２がそれぞれ制御ユニット１００３に接続され、第２スイッチユニットの可動サブ端子ｂ２が第１電源ユニット１００２に接続され、
第２給電回路は第１スイッチユニット１００４ｂ及び第２スイッチユニット１００５ｂを含む。第１スイッチユニット１００４ｂの固定サブ端子ａ及びｂがそれぞれ第１接点Ｌ及び第３接点Ｌ２に接続され、第１スイッチユニット１００４ｂの可動端子Ｒ２が第２スイッチユニット１００５ｂの可動サブ端子ｂ３に接続され、第２スイッチユニット１００５ｂの２つの固定サブ端子ａ１及びａ２がそれぞれ第１接点Ｌ及び第３接点Ｌ２に接続され、第２スイッチユニット１００５ｂの２つの固定サブ端子ｃ１及びｃ２がそれぞれ制御ユニット１００３に接続され、第２スイッチユニットの可動サブ端子ｂ４が第１電源ユニット１００２に接続される。
【００８２】
以上からわかるように、スイッチ装置は第１給電回路の第１スイッチユニット１００４ａ及び第２スイッチユニット１００５ａによって、第１給電回路に位置する第１被制御装置の導通状態又は切断状態を制御でき、さらに第２給電回路の第１スイッチユニット１００４ｂ及び第２スイッチユニット１００５ｂによって、第２給電回路に位置する第２被制御装置の導通状態又は切断状態を制御できる。
【００８３】
一実施例では、図９に示すように、スイッチ装置１０００は、
第２可動サブ端子ｂ２に対応する固定端子（すなわち、第３固定サブ端子ｃ１及び第４固定サブ端子ｃ２）に接続され、第２可動サブ端子ｂ２の開閉状態を検出するように構成される検出ユニット１００６をさらに含み、
前記制御ユニット１００３は、検出ユニット１００６に接続され、第２可動サブ端子ｂ２の開閉状態に応じて、第１可動サブ端子ｂ１の開閉状態を確定するように構成される。
【００８４】
本開示の実施例では、第２可動サブ端子ｂ２の開閉状態及び第１可動サブ端子ｂ１の開閉状態はともに、それと嵌合する固定サブ端子の接続状態を示すことに用いられ、例えば、第２可動サブ端子ｂ２の開閉状態は第２可動サブ端子ｂ２が第３固定サブ端子ｃ１と接続するか第４固定サブ端子ｃ２と接続するかを示すことに用いられ、第１可動サブ端子ｂ１の開閉状態は第１可動サブ端子ｂ１が第１固定サブ端子ａ１と接続するか第２固定サブ端子ａ２と接続するかを示すことに用いられる。
【００８５】
なお、検出ユニット１００６は第１入力ピンＳ４及び第２入力ピンＳ５の電気信号を検出することによって、第２可動サブ端子ｂ２の開閉状態を検出できる。例えば、第１入力ピンＳ４の電気信号が高レベルの電気信号であり、第２入力ピンＳ５の電気信号が低レベルの信号であることが検出される場合、第２可動サブ端子ｂ２が第３固定サブ端子ｃ１と接続することを示し、第１入力ピンＳ４の電気信号が低レベルの電気信号であり、第２入力ピンＳ５の電気信号が高レベルの信号であることが検出される場合、第２可動サブ端子ｂ２が第４固定サブ端子ｃ２と接続することを示し、それにより第２可動サブ端子ｂ２の開閉状態を取得できる。
【００８６】
また、第２可動サブ端子ｂ２と第１可動サブ端子ｂ１が同じ開閉状態を有するため、第２可動サブ端子ｂ２の開閉状態を検出することによって第１可動サブ端子ｂ１の開閉状態を取得できる。例えば、第２可動サブ端子ｂ２が第３固定サブ端子ｃ１と接続する場合、第１可動サブ端子ｂ１が第１固定サブ端子ａ１と接続することを示し、第２可動サブ端子ｂ２が第４固定サブ端子ｃ２と接続する場合、第１可動サブ端子ｂ１が第２固定サブ端子ａ２と接続することを示し、それにより第１可動サブ端子ｂ１の開閉状態を取得できる。
【００８７】
上記被制御装置がランプであり、該ランプの点灯・消灯を制御するという例に続いて、検出ユニット１００６によって第３固定サブ端子ｃ１及び第４固定サブ端子ｃ２での信号に応じて、第２スイッチユニット１００５（例えば、二極双投スイッチ）の現在の開閉状態を検出し、且つ検出した現在の開閉状態を制御ユニット１００３に送信し、制御ユニット１００３に、第１スイッチユニット１００４の可動端子Ｒに接続された固定端子を制御させ、ランプの点灯・消灯を実現し、ここでは詳細説明をしない。
【００８８】
一実施例では、該検出ユニット１００６はさらに、ユーザーからの遠隔入力を検出し、且つユーザーからの遠隔入力に基づいて、ユーザー命令が含まれる無線制御信号を制御ユニット１００３に送信するように構成される。
【００８９】
例えば、検出ユニット１００６は、ジグビー（登録商標）（Ｚｉｇｂｅｅ）機能の検出ユニット、ブルートゥース（登録商標）低エネルギー（Ｂｌｅ：Ｂｌｕｅｔｏｏｔｈ  Ｌｏｗ  Ｅｎｅｒｇｙ）機能の検出ユニット、ワイヤレスフィデリティ（Ｗｉ−Ｆｉ（登録商標）：Ｗｉｒｅｌｅｓｓ  Ｆｉｄｅｌｉｔｙ）機能の検出ユニット、及び赤外線リモコン機能の検出ユニットを含むが、それらに限定されない。
【００９０】
一実施例では、第１電源ユニット１００２はさらに、検出ユニット１００６に給電するように構成される。
【００９１】
一実施例では、スイッチ装置１０００はスイッチパネルをさらに含み、スイッチパネルには、第２スイッチユニット１００５に対応するパネルボタンが設置される。
【００９２】
なお、ユーザーは該ボタンに作用して、第２スイッチユニット１００５の開閉状態を切り替えるようにしてもよい。
【００９３】
例えば、スイッチパネルは８６型ケースを用いたスイッチパネルである。
【００９４】
一実施例では、スイッチパネルは開閉可能なカバープレートであり、該カバープレートは一側が係合構造、他側がヒンジ構造である。
【００９５】
一実施例では、蓄電サブユニット１００２ｂは充電式電池である。
【００９６】
例えば、該充電式電池はニッケルカドミウム、ニッケル水素、リチウムイオン、リチウムポリマー、リチウム鉄等の充電式電池を含むが、それらに限定されない。
【００９７】
以下、受信変換ユニットが赤外線受信変換ユニットであることを例に説明する。図１０に示すように、本開示の実施例では、スイッチ装置は、赤外線受信変換ユニット１００１ａ、昇圧サブユニット１００２ａ、蓄電サブユニット１００２ｂ、制御ユニット１００３、第１スイッチユニット１００４、第２スイッチユニット１００５、制御ユニット１００３及び検出ユニット１００６を含む。
【００９８】
赤外線受信変換ユニット１００１ａは、赤外線信号を受信し、赤外線信号を給電信号に変換して昇圧サブユニット１００２ａに出力するように構成される。
【００９９】
昇圧サブユニット１００２ａは、給電信号に対して昇圧を行って貯蔵サブユニット１００２ｂに出力するように構成される。
【０１００】
貯蔵サブユニット１００２ｂは、昇圧後の給電信号に基づいて電気エネルギーを貯蔵し、且つ前記電気エネルギーに基づいて、前記制御ユニット１００３、前記第１スイッチユニット１００４及び検出ユニット１００６に給電するように構成される。
【０１０１】
検出ユニット１００６は、第２スイッチユニット１００５の第２可動サブ端子ｂ２の開閉状態を検出し、且つ第２可動サブ端子ｂ２の現在の開閉状態を制御ユニット１００３に送信するように構成される。
【０１０２】
制御ユニット１００３は、第２可動サブ端子ｂ２の現在の開閉状態に応じて、第１可動サブ端子ｂ１の現在の開閉状態を確定し、無線信号に含まれるユーザー命令及び第１可動サブ端子ｂ１の現在の開閉状態に応じて、第１スイッチユニット１００４に制御信号を出力するように構成される。
【０１０３】
第１スイッチユニット１００４は、制御信号に応じて導通状態又は切断状態に切り替えるように構成され、該第１スイッチユニット１００４は、被制御装置の給電回路上に位置し、導通状態にある場合、第２電源ユニットを利用して被制御装置に給電するように構成される。
【０１０４】
本開示の実施例は無線信号から変換された電気信号に基づいて電気エネルギーを貯蔵し、且つ貯蔵された電気エネルギーを利用して制御ユニットに給電することによって、第１、単一活線を利用してスイッチ装置に給電する必要がなく、給電線（例えば、単一活線）による給電に起因する低電力スイッチ装置の微弱な電流の問題を解決し、それにより被制御装置の電力制限を解除し、汎用性を有する。第２、スイッチ装置と被制御装置の給電源が異なることによって、弱電力と強電力との安全的分離を実現する。第３、無線信号送信機と組み合わせて使用することによって、スイッチ装置の給電が照明環境の影響を受けず、更にスイッチ装置に簡単且つ迅速に給電することができる。さらに、スイッチ装置がユーザーからの遠隔入力又は第２スイッチユニットに作用する入力に基づいて給電回路を導通又は切断することで、スイッチ装置の手動制御及び遠隔制御を実現し、ユーザーエクスペリエンスを向上させる。
【０１０５】
当業者が明細書を考慮し及びここで開示されている発明を実施したうえで、本発明のほかの実施形態を容易に想到し得る。本開示は本発明の任意の変形、用途や適切な変更をカバーすることを目的とし、これらの変形、用途や適切な変更は本発明の一般的な原理を逸脱することがなく、且つ本開示に開示されていな本技術分野における常識又は周知の技術手段を含む。明細書及び実施例は単に例示的なものであり、本発明の真の範囲及び趣旨は後述する特許請求の範囲に定められる。
【０１０６】
なお、本発明は以上説明され且つ図面に示された詳細構造に限定されるものではなく、その範囲を逸脱せずに種々の変更や変形を行うことができる。本発明の範囲は添付特許請求の範囲のみに定められる。
【図１】
2021535708.tif 000003
【図２】
2021535708.tif 000004
【図３】
2021535708.tif 000005
【図４】
2021535708.tif 000006
【図５】
2021535708.tif 000007
【図６】
2021535708.tif 000008
【図７】
2021535708.tif 000009
【図７ａ】
2021535708.tif 000010
【図７ｂ】
2021535708.tif 000011
【図８ａ】
2021535708.tif 000012
【図８ｂ】
2021535708.tif 000013
【図９】
2021535708.tif 000014
【図１０】
2021535708.tif 000015
【国際調査報告】
2021535708.tif 000016
2021535708.tif 000017
2021535708.tif 000018
2021535708.tif 000019